(57)【要約】【課題】屋根の妻側の端部から軒側に流下した雨水をできる限り軒樋の内部に導くことができるけらば化粧材の軒先構造を提供する。【解決手段】本発明のけらば化粧材２の軒先構造は、屋根１と、軒樋６と、けらば化粧材２と、水受け部４１とを備えている。けらば化粧材２は、屋根１のけらばを覆うものであり、その軒側の端部が屋根１の軒側端部よりも屋外側に突出して軒樋６に隣接配置される。水受け部４１は、けらば化粧材２から軒樋６側に向かって突出し、これにより、屋根１から流下する雨水を軒樋６の内部に導くものである。けらば化粧材２には、軒樋６の長さ方向の端部が挿入される凹所２９が設けられている。水受け部４１には、突出先端から下方に向かって突出する下延出片４５が設けられている。下延出片４５の下端は、軒樋６の長さ方向の端面の上端よりも下方に位置している。【選択図】図１
2015017472.tif 000002
【特許請求の範囲】
【請求項１】
屋根と、
この屋根の軒側の端部に沿って設けられた軒樋と、
前記屋根のけらばを覆うものであり、その軒側の端部が前記屋根の軒側端部よりも屋外側に突出して前記軒樋に隣接配置されたけらば化粧材と、
前記けらば化粧材から前記軒樋側に向かって突出し、前記屋根から流下する雨水を前記軒樋の内部に導く水受け部と
を備え、
前記けらば化粧材には前記軒樋の長さ方向の端部が挿入される凹所が設けられ、
前記水受け部には、突出先端から下方に向かって突出する下延出片が設けられ、
この下延出片の下端は、前記軒樋の長さ方向の端面の上端よりも下方に位置している
ことを特徴とするけらば化粧材の軒先構造。
【発明の詳細な説明】
【技術分野】
【０００１】
本発明は、けらば化粧材の軒先構造に関する。
【背景技術】
【０００２】
特許文献１には、従来のけらば化粧材の軒先構造が開示されている。このけらば化粧材の軒先構造は、けらばに破風が取り付けられたものである。破風の軒側の端部は、屋根の軒側の端部よりも屋外側に突出している。また、屋根の軒側の端部の下方には、軒先に沿って軒樋が設けられている。軒樋の長さ方向の端部は、破風の屋外側に突出した部分に隣接配置されている。
【先行技術文献】
【特許文献】
【０００３】
【特許文献１】特開２０１０−２４８８１７
【発明の概要】
【発明が解決しようとする課題】
【０００４】
ところで、特許文献１の軒先の構造では、軒樋の長さ方向の端部が破風と接触した状態であると、その環境の温度によって軒樋が伸縮した場合に、軒樋や破風等に熱応力が生じてしまう。
【０００５】
一方、軒樋の破風側の端部と破風との間に隙間を設けると、屋根の妻側の端部から軒側に流下した雨水が、軒樋と破風との間の隙間を通って、地面に落下してしまうことが懸念される。
【０００６】
また、軒樋の破風側の端部と破風との間に隙間を設けた場合、破風と軒樋との間に水受け部を設置して、屋根の妻側の端部から軒側に流下した雨水を軒樋の内部へ導水することも考えられる。しかしながら、水受け部として、単に、破風と軒樋とに架け渡しただけの構造であると、軒樋の設置位置が長さ方向にずれる等したときに、軒樋に対する水受け部の位置がずれてしまって、軒樋内に導水できない場合が生じ得る。
【０００７】
本発明は、上記事情に鑑みてなされたものであり、その目的とするところは、軒樋等に熱応力が生じにくく、しかも、設置状態において軒樋がずれた場合であっても、屋根の妻側の端部から流下した雨水をできる限り軒樋の内部に導くことができるけらば化粧材の軒先構造を提供することにある。
【課題を解決するための手段】
【０００８】
本発明のけらば化粧材の軒先構造は、屋根と、この屋根の軒側の端部に沿って設けられた軒樋と、前記屋根のけらばを覆うものであり、その軒側の端部が前記屋根の軒側端部よりも屋外側に突出して前記軒樋に隣接配置されたけらば化粧材と、前記けらば化粧材から前記軒樋側に向かって突出し、前記屋根から流下する雨水を前記軒樋の内部に導く水受け部とを備え、前記けらば化粧材には前記軒樋の長さ方向の端部が挿入される凹所が設けられ、前記水受け部には、突出先端から下方に向かって突出する下延出片が設けられ、この下延出片の下端は、前記軒樋の長さ方向の端面の上端よりも下方に位置していることを特徴とする。
【発明の効果】
【０００９】
本発明のけらば化粧材の軒先構造によれば、けらば化粧材に軒樋の端部が挿入される凹部が設けられているため、軒樋が伸長した場合に、軒樋の長さ方向の端面とけらば化粧材とを接触しにくくでき、また、縮んだ場合に、けらば化粧材と軒樋との間に隙間が生じた場合であっても、水受け部が設けられているため、屋根の妻側の端部から流下した雨水を軒樋の内部に導くことができる。しかも、設置後に軒樋がずれた場合であっても、下延出片が軒樋の内部に位置しているため、水受け部に対する軒樋の位置が大きく変わりにくい。
【００１０】
この結果、本発明のけらば化粧材の軒先構造によれば、軒樋等に熱応力が生じにくく、しかも、設置状態において軒樋がずれた場合であっても、屋根の妻側の端部から流下した雨水をできる限り軒樋の内部に導くことができる。
【図面の簡単な説明】
【００１１】
【図１】本実施形態のけらば化粧材の軒先構造の斜視図である。
【図２】本実施形態のけらば化粧材の軒先構造の正面図である。
【図３】本実施形態の水受け部周辺の要部斜視図である。
【発明を実施するための形態】
【００１２】
以下、本発明の実施形態について添付図面に基づいて説明する。
【００１３】
実施形態１のけらば化粧材２の軒先構造は、屋根１と、けらば化粧材２と、軒樋６とを備えている。
【００１４】
屋根１は、建物の上部に設けられている。屋根１は、例えば、切妻屋根や片流れ屋根によって構成される。屋根１は、勾配を有している（以下、この勾配を屋根勾配という）。屋根勾配に沿った方向（以下、屋根勾配方向という）は、例えば、軒棟方向に平行な方向である。
【００１５】
屋根１は、軒と棟とを有している。ここで言う「軒」とは、屋根１において建物の壁面よりも屋外側に突出する部分を言うが、例えば、建物の壁面よりも屋外側に突出しない屋根１が用いられる場合には、屋根１における屋根勾配方向の下流側の端部を軒という。また、「棟」とは、屋根１において、屋根勾配方向の上流側の端部を言う。
【００１６】
屋根１は、複数の屋根材１１によって構成されている。屋根材１１は、例えば、断面凹凸形状をしたルーフ材や、折板屋根材によって構成される。また、屋根材１１は平瓦であってもよい。屋根材１１は、金属屋根に限らず、例えば、窯業系の屋根材が用いられてもよい。なお、本実施形態の屋根材１１は、屋根勾配方向とは直角な方向に、凹部１２と凸部１３とが繰り返し形成された金属屋根材（以下、この金属屋根材によって構成された屋根１を凹凸屋根という）によって構成されている。なお、この凹部１２および凸部１３は、屋根１の屋根勾配方向の全長に亙って設けられている。
【００１７】
けらば化粧材２は、凹凸屋根の凹部１２に隣接して配置されている。けらば化粧材２は、屋根１のけらばを覆うようにして取り付けられる。けらば化粧材２の軒側の端部は、屋根１の軒側端部よりも屋外側に突出している（以下、この突出した部分を突出部分３１という）。また、けらば化粧材２の突出部分３１は、軒樋６に隣接配置されている。このけらば化粧材２は、天面部２１と、外側面部２３と、内側面部２５と、前面部２４と、底面部（図示せず）とを備えている。
【００１８】
天面部２１は、けらばの上方に配置され、これにより、けらばを上方から覆う。天面部２１は、屋根勾配方向に長さを有し、屋根勾配方向とは直角な方向（左右方向）に幅を有している。
【００１９】
外側面部２３は、天面部２１の幅方向のけらば側（妻側）の端部から下方に向かって延出している。外側面部２３は、けらばの側方に配置され、これにより、けらばを側方から覆う。外側面部２３は、屋根勾配方向に長さを有し、上下方向に幅を有している。
【００２０】
底面部（図示せず）は、外側面部２３の下端から建物側に向かって延出している。この底面部は、天面部２１と平行となるように形成されている。
【００２１】
前面部２４は、けらば化粧材２の軒側の端面を構成する。前面部２４は、天面部２１に直交しており、下方に向かうほど建物側に位置するように傾斜している。前面部２４は、外側面部２３の軒側の先端と内側面部２５の軒側の先端との間に架設される。
【００２２】
内側面部２５は、天面部２１の幅方向の屋根１側（建物側）の端部から下方に向かって延出している。内側面部２５は、屋根勾配方向に長さを有し、上下方向に幅を有している。内側面部２５は、屋根１の上方に配置される幅狭部２６と、この幅狭部２６よりも幅の大きな先端部２７とを有している。先端部２７は、屋根１の軒側の端部よりも屋外側に配置されている。
【００２３】
先端部２７には、内側支持部２８が設けられている。内側支持部２８は、先端部２７の棟側の端部と、外側面部２３の内面との間に架設される。内側支持部２８には、水受け部４１が、ビスなどの固着具を介して固定される。水受け部４１は、図２に示すように、けらば化粧材２の内側面部２５から軒樋６側に向かって突出している。
【００２４】
水受け部４１は、図３に示すように、縦片部４２と、横片部４３とを有しており、断面Ｌ字状に形成されている。水受け部４１は、屋根勾配方向とは直角な方向に長さを有している。水受け部４１において長さ方向のけらば側（妻側）とは反対側の先端は、軒樋６の上方に位置している。また、横片部４３は、屋根勾配方向に幅を有している。横片部４３の幅方向の棟側の端部には、折り返し片４４が設けられている。折り返し片４４は、例えば、横片部４３の端縁を曲げ加工することで形成されている。
【００２５】
また、水受け部４１は、下延出片４５を有している。下延出片４５は、横片部４３のけらば側（妻側）とは反対側の先端から下方に向かって延出している。下延出片４５の幅は、横片部４３の幅よりも小さく形成されている。また、下延出片４５は、横片部４３から延出した金属片を下方に曲げ加工することによって形成されている。下延出片４５の下端は、軒樋６の内部に位置しており、且つ、軒樋６の長さ方向の端面の上端よりも下方に位置している。すなわち、下延出片４５は、後述の止まり部材６２の内面に近接対向する。
【００２６】
けらば化粧材２には、図１に示すように、軒樋６の長さ方向の端部が挿入される凹所２９が形成されている。凹所２９は、内側面部２５に設けられた挿通開口３０と、けらば化粧材２の突出部分３１の内部空間によって構成されている。挿通開口３０は、凹所２９の開口（軒樋６の挿入口）を形成する。挿通開口３０には、軒樋６の長さ方向の端部が挿入され、これにより凹所２９内に軒樋６の長さ方向の端部が配置される。
【００２７】
なお、凹所２９に軒樋６の長さ方向の端部が挿入された設置状態では、図２に示すように、軒樋６の長さ方向の端面と、けらば化粧材２の外側面部２３の内面との間に、一定の隙間が設けられる。この隙間によって、熱による軒樋６の伸縮が生じても、軒樋６とけらば化粧材２との干渉を防ぐことができ、軒樋６やけらば化粧材２に熱応力が生じるのを防ぐことができる。
【００２８】
軒樋６は、屋根１の軒側の端部に沿って設けられている。軒樋６は、けらば化粧材２の突出部分３１に隣接配置されている。軒樋６は、建物の屋根１の鼻板に固着された吊金具（図示せず）によって、屋根１の軒下に固定されている。
【００２９】
軒樋６は、樋本体６１と、止まり部材６２とを備えている。樋本体６１は、断面Ｕ字状をしており、左右方向（屋根勾配方向とは直角な方向）に長さを有している。止まり部材６２は、樋本体６１の長さ方向の端部に固定されている。止まり部材６２の樋本体６１とは反対側の側面が、軒樋６の長さ方向の端面となる。
【００３０】
降雨すると、その雨水は、屋根１の勾配に沿って流下する。屋根１を流下する雨水のうち、けらば側の端部の凹部１２に沿って流下する雨水は、屋根１の軒先から落下した後、一部が水受け部４１に受けられ、その他が軒樋６の内部に流下する。水受け部４１に受けられた雨水は、下延出片４５を伝って軒樋６の内部に導かれる。これにより、けらば側の端部の凹部１２に沿って流下する雨水は、ほぼ全てが軒樋６の内部に導かれる。
【００３１】
以上、説明したように、本実施形態のけらば化粧材２の軒先構造は、屋根１と、軒樋６と、けらば化粧材２と、水受け部４１とを備えている。軒樋６は、屋根１の軒側の端部に沿って設けられている。けらば化粧材２は、屋根１のけらばを覆う。またけらば化粧材２の軒側の端部は、屋根１の軒側端部よりも屋外側に突出しており、当該突出した部分は、軒樋６に隣接配置されている。水受け部４１は、けらば化粧材２から軒樋６側に向かって突出しており、屋根１から流下する雨水を軒樋６の内部に導くものである。けらば化粧材２には、軒樋６の長さ方向の端部が挿入される凹所２９が設けられている。水受け部４１には、突出先端から下方に向かって突出する下延出片４５が設けられている。下延出片４５の下端は、軒樋６の長さ方向の端面の上端よりも下方に位置している。
【００３２】
このため、本実施形態のけらば化粧材２の軒先構造は、屋根１のけらば側の端部に沿って流下する雨水の大部分を軒樋６の内部に導くことができる。特に、下延出片４５の下端が軒樋６の内部に位置しているため、水受け部４１に受けられた雨水を効果的に軒樋６に導水することができる。
【００３３】
その上、けらば化粧材２には軒樋６の長さ方向の端部が挿入される凹所２９が設けられているため、軒樋６やけらば化粧材２に生じる熱応力を低減させることができる上に、けらば化粧材２と軒樋６との間の隙間をなくすことができる。このため、屋根１のけらば側の端部を流下する雨水が、けらば化粧材２と軒樋６との間の隙間から地面に向かって落下するのを防ぐことができる。
【００３４】
しかも、仮に、軒樋６に対してけらば化粧材２から離れる方向に力が掛かった場合であっても、軒樋６内部の長さ方向の端面と、下延出片４５の下端とが当接するため、軒樋６の移動が規制される。これにより、軒樋６の長さ方向への大幅な位置ずれを防止でき、水受け部４１が導水できる位置から軒樋６が外れてしまうのを防ぐことができる。しかも、この場合、けらば化粧材２と軒樋６との間に隙間が生じた場合であっても、水受け部４１によって、屋根１のけらば側の端部を流下する雨水を受けることができる。これにより、雨水がけらば化粧材２と軒樋６との間の隙間から地面に向かって落下するのを防ぐことができる。
【００３５】
したがって、本実施形態のけらば化粧材２の軒先構造によれば、屋根１の妻側の端部から軒側に流下した雨水をできる限り軒樋６の内部に導くことができる。
【００３６】
また、本実施形態のけらば化粧材２の軒先構造は、凹所２９の内部に、軒樋６の長さ方向の端部が挿入されているため、水受け部４１の長さをできる限り小さくすることも可能である。
【符号の説明】
【００３７】
１      屋根
１１    屋根材
２      けらば化粧材
２１    天面部
２３    外側面部
２４    前面部
２５    内側面部
２６    幅狭部
２７    先端部
２８    内側支持部
２９    凹所
３０    挿通開口
３１    突出部分
４１    水受け部
４２    縦片部
４３    横片部
４４    折り返し片
４５    下延出片
６      軒樋
６１    樋本体
６２    止まり部材
【図１】
2015017472.tif 000003
【図２】
2015017472.tif 000004
【図３】
2015017472.tif 000005